(57)【要約】【課題】磁気特性と光学特性の両方の特性を併せ持ったインキを用いることで、偽造防止効果をより一層高めた貴重印刷物を提供することを目的とする。【解決手段】基材上の文字、図柄、模様等の一部又は全部を、少なくとも２種類以上のインキで印刷し、そのインキのうち少なくとも２種類のインキが同一色でそれぞれが磁気特性が異なり且つ光学特性が異なるインキで印刷を施した貴重印刷物である。【選択図】　図４
2004090387.tif 000002
【特許請求の範囲】
【請求項１】
基材に複数の図柄や模様などが少なくとも２種類以上のインキで印刷された貴重印刷物において、前記基材上の図柄や模様の一部又は全部が、前記インキのうち同一色でそれぞれが磁気特性が異なり且つ光学特性が異なる少なくとも２種類のインキで印刷されたことを特徴とする貴重印刷物。
【請求項２】
前記磁気特性の異なるインキは、いずれか一方が磁気特性を有するインキで、他方が磁気特性を有しないインキであることを特徴とする請求項１記載の貴重印刷物。
【請求項３】
前記光学特性が、いずれか一方が赤外領域において吸収を示し、他方が赤外領域において透過又は反射を示すことを特徴とする請求項１又は２記載の貴重印刷物。
【請求項４】
前記２種類のインキは、いずれか一方が磁気特性を有するとともに赤外領域において吸収を示し、他方が磁気特性を有しないとともに赤外領域において透過又は反射を示すインキであることを特徴とする請求項１、２又は３記載の貴重印刷物。
【請求項５】
基材に複数の図柄や模様などが少なくとも２種類以上のインキで印刷された貴重印刷物において、前記基材上の図柄や模様の一部が前記請求項１至４記載の少なくとも２種類のインキで印刷され、且つ前記少なくとも２種類のインキによって印刷された図柄や模様以外の図柄や模様の一部が、前記少なくとも２種類のインキの磁気特性を有するインキと異なる色及び磁気特性を有するインキで印刷されていることを特徴とする請求項１、２、３又は４記載の貴重印刷物。
【請求項６】
前記少なくとも２種類のインキが凹版印刷用のインキであることを特徴とする請求項１、２、３、４又は５記載の貴重印刷物。
【発明の詳細な説明】
【０００１】
【発明の属する技術分野】
本発明は、銀行券、株券、有価証券、カードなどの貴重印刷物に関するものである。
【０００２】
【従来の技術】
銀行券、株券、有価証券、各種証明書及び重要書類並びに金融機関のカード等の印刷物において、偽造や変造防止策は極めて重要な要素であり、画線の構成による潜像のような視覚に訴える偽造防止策や、微小文字や特殊なインキを用いることによる複写防止策、貴重印刷物の使用の際に真正品であることを機械的に判別するための機械読取用の偽造防止策等、種々の偽造防止策を印刷物に施すことが知られている。
【０００３】
このような種々の偽造防止策のなかで、真正品と偽造品とを機械によって判別する技術は、近年各種の自動販売機や駅・施設等の改札機等で数多く使用されており、貴重印刷物の真偽を判別する技術としては主流を成している。
【０００４】
この機械的に真偽を判別するために使用されている偽造防止技術としては、印刷物を構成する文字、図柄、模様等を表現するためのインキに磁気を含ませておき、磁気の有無、強度やパターンを機械により検知することが公知である。
【０００５】
また、印刷物を構成する文字、図柄、模様等が、赤外線を反射する性質を有する色素を含有するインキや、赤外線を吸収する性質を有する色素を含有するインキで印刷されているもので、その性質をもとに機械により検知することも公知である。
【０００６】
【発明が解決しようとする課題】
ところで、印刷物の文字、図柄、模様等を磁気インキによって表現し、機械的に磁気特性を読み取り真偽の判別を行うことは、前記のとおり現在では公知の技術であることから、インキに磁性材料を付与することにより作製した偽造品も見受けられるようになり、単に印刷物の文字、図柄、模様等を、磁気を含有するインキで印刷することで偽造防止を図ることは困難となってきた。
【０００７】
また、インキの光学特性を利用した機械による真偽判別について、特に赤外領域における光の吸収又は反射を用いる機械読み取りについては、特開昭５５−３７６５８号において開示されており、さらに赤外線を放射するように設計された赤外線発光器と、反射される赤外線放射強度に応答するように設計された赤外線検出器とを先端に組み込んだ読み取り装置も市販されている。
【０００８】
本発明は同一色の２種類のインキを磁気特性及び光学特性が異なるように設計することにより、視覚的には同じインキで文字、図柄、模様等が印刷されているように見受けられるが、特定の機械により検出すると、設計された磁気特性と光学特性を読み取ることができる、従来の磁性特性と光学特性の単独による偽造防止効果より、更に偽造防止効果を高めた印刷物を提供することを目的とする。
【０００９】
【発明が解決するための手段】
本発明は、基材に複数の図柄や模様などが少なくとも２種類以上のインキで印刷された貴重印刷物において、前記基材上の図柄や模様の一部又は全部が、前記インキのうち同一色でそれぞれが磁気特性が異なり且つ光学特性が異なる少なくとも２種類のインキで印刷されたことを特徴とする貴重印刷物である。
【００１０】
また本発明は、前記磁気特性の異なるインキが、いずれか一方が磁気特性を有するインキで、他方が磁気特性を有しないインキであることを特徴とする貴重印刷物である。
【００１１】
また本発明は、前記光学特性のいずれか一方が赤外領域において吸収を示し、他方が赤外領域において透過又は反射を示すことを特徴とする貴重印刷物である。
【００１２】
また本発明は、前記少なくとも２種類のインキが、いずれか一方が磁気特性を有するとともに赤外領域において吸収を示し、他方が磁気特性を有しないとともに赤外領域において透過又は反射を示すインキであることを特徴とする貴重印刷物である。
【００１３】
また本発明は、基材に複数の図柄や模様などが少なくとも２種類以上のインキで印刷された貴重印刷物において、前記基材上の図柄や模様の一部が、同一色でそれぞれ磁気特性が異なり且つ光学特性が異なる少なくとも２種類のインキで印刷され、且つ前記少なくとも２種類のインキによって印刷された図柄や模様以外の図柄や模様の一部が、前記少なくとも２種類のインキの磁気特性を有するインキと異なる色及び磁気特性を有するインキで印刷されていることを特徴とする貴重印刷物である。
【００１４】
また本発明は、前記少なくとも２種類のインキが凹版印刷用のインキであることを特徴とする貴重印刷物である。
【００１５】
【発明の実施の形態】
次に図面を参照して本発明に係る貴重印刷物の実施形態について説明する。なお本実施の形態に限定されるものではなく、本発明の係る特許請求の範囲に記載した技術事項の範囲内であれば、各種の態様を採用することができる。
【００１６】
【実施例１】
本実施例では商品券で説明するが、これに制約されるものではない。図１は商品券１の基材２にオフセット印刷や凹版印刷などで文字、図柄、模様等を施したものであり、建物の図柄３は凹版印刷で印刷したものである。
【００１７】
図２は図１に示した商品券から建物の図柄３を取り出し、建物の図柄を印刷する際に使用したインキの特性を説明するための建物の図柄の構成を示す図である。建物の図柄３は同一色の２種類のインキであり、視覚的には一種類のインキで印刷しているように確認できるが、図中の斜線部４は磁気を含有し、赤外線を吸収する性質を有する色素を含有するインキで印刷されており、斜線部４以外の部分５は磁気を含有せず、赤外線を反射する性質を有する色素を含有するインキで印刷されている。
【００１８】
図３は商品券を磁気特性により真偽判別するため、磁気読み取り装置の磁気ヘッドを走査状況６を示す図である。また、図４（ａ）は商品券を構成する文字、図柄、模様等の中で磁気を含有したインキで印刷した部分４を示す図であり、図４（ｂ）は商品券上を磁気ヘッドが走査した際に検出された磁気信号を示す図である。磁気が含有されたインキで印刷した部分のみ磁気信号が変化している。
【００１９】
図５は赤外検出器により商品券１を確認した図であり、図２で説明したように建物の図柄３’の斜線部４を印刷するために使用したインキは、磁気を含有するとともに赤外線を吸収するインキのため、図５に示すように赤外線を吸収する斜線部４’の部分が確認でき、磁気を含有せず赤外線を反射する性質を有する色素を含有したインキで印刷した斜線部以外の部分５’は、赤外線を反射するため確認できない。
【００２０】
なお、磁気を含有するインキには、一般的に使用されているビヒクル中に酸化物系又は金属系の磁性粉が分散されたインキを使用する。例えばマグネタイト、マグヘマタイト、バリウムフェライト、酸化クロム、鉄粉、パーマロイ、センダストなどがあげられる。なお、前記一般的な磁気を含有するインキは赤外線を吸収する性質を持っている。また赤外線を反射する性質の材料としては、公知のアルミ粉、真鍮粉、酸化チタン及び焼成顔料等の無機系の顔料を使用する。
【００２１】
【実施例２】
図６は実施例１と別の本発明の第２の実施例を示す図である。建物の図柄３は実施例１と同様同一色で磁気を含有し赤外線を吸収する性質を有する色素を含有したインキと、磁気を含有せず赤外線を反射する性質を有する色素を含有したインキで印刷されており、図６（ａ）の太陽の図柄７は、建物の図柄３とは色及び磁気強度が異なるインキで印刷したものである。
【００２２】
図６の商品券１を実施例１同様磁気読み取り装置において、磁気ヘッドを走査した場合、図６（ｂ）のように磁気信号が太陽の図柄７の部分と建物の図柄３の部分と異なって検出されている。
【００２３】
【発明の効果】
本発明によれば、印刷物を構成する文字、図柄、模様等が、磁気を含有するインキと含有しないインキを同一色で印刷するため、視覚的には一種類のインキで印刷しているように確認できるが、磁気特性を検出すると、その同一色内で磁気の有無又は強弱が変化し、更に同一インキが赤外線を吸収又は反射するため、磁気特性による偽造防止と光学特性（赤外領域による反射又は吸収）による偽造防止のそれぞれ単独で付与した技術より、更に偽造防止効果を高めた印刷物を得ることができる。従って、磁気特性と光学特性の両方を照合して、真正品と偽造品との真偽判別を行うことが可能となるので、単独による真偽判別方法より確実な真偽判別が行える。
【００２４】
本発明によれば、印刷物を構成する文字、図柄、模様等が、磁気を含有するインキと含有しないインキを同一色で印刷するため、コピー等で複写した場合に、色としては真正品と同様の色を再現することができるが、複製品の磁気特性を検出すると、真正品に付与した磁気特性を再現できず、偽造品でることが判別できる。特に磁気の有無で付与されている場合には、その状況が顕著に現れる。
【図面の簡単な説明】
【図１】本発明による貴重印刷物の第１実施形態を示す図である。
【図２】本発明による磁気特性及び光学特性を説明する図である。
【図３】本発明による貴重印刷物の磁気特性を読み取るための磁気ヘッドの走査状況を示す図である。
【図４】本発明の貴重印刷物の磁気特性を説明する図である。
【図５】本発明の貴重印刷物に赤外線を照射した場合を示す図である。
【図６】本発明による貴重印刷物の第２実施形態を示す図である。
【符号の説明】
１　商品券
２　基材
３、３’　図柄（建物）
４、４’　磁気を含有し、赤外線を吸収するインキで印刷した箇所
５、５’　磁気を含有せず、赤外線を反射するインキで印刷した箇所
６　磁気ヘッドの走査方向
７　図柄（太陽）
【図１】
2004090387.tif 000003
【図２】
2004090387.tif 000004
【図３】
2004090387.tif 000005
【図４】
2004090387.tif 000006
【図５】
2004090387.tif 000007
【図６】
2004090387.tif 000008